(57)【要約】【課題】異常な温度上昇に対して確実に対処できる光照射装置を提供する。【解決手段】光照射装置は、発光構造４と、同構造４を収容するケース構造１とを備えている。ケース構造１の内部に導風路９が形成され、導風路９の前端に吹出口１１が開口されている。導風路９の内部に、吹出口１１の側から順に発光構造４と、風を発光構造４および吹出口１１へ向かって送給する送風構造３とが配置されている。送風構造３から送給される風を受ける受風板４９と発光構造４の駆動を制御する温度センサー９８が設けられている。温度センサー９８は、受風板４９に取り付けられている。受風板４９は、発光構造４に取り付けられている。【選択図】図１
2020058475.tif 000002
【特許請求の範囲】
【請求項１】
発光構造（４）と、同構造（４）を収容するケース構造（１）とを備えており、
ケース構造（１）の内部に導風路（９）が形成され、導風路（９）の前端に吹出口（１１）が開口されており、
導風路（９）の内部に、吹出口（１１）の側から順に発光構造（４）と、風を発光構造（４）および吹出口（１１）へ向かって送給する送風構造（３）とが配置されており、
送風構造（３）から送給される風を受ける受風板（４９）と発光構造（４）の駆動を制御する温度センサー（９８）が設けられており、
温度センサー（９８）は、受風板（４９）に取り付けられており、
受風板（４９）は、発光構造（４）に取り付けられていることを特徴とする光照射装置。
【請求項２】
発光構造（４）が、光源（２８）と、前部に照射開口を有し、光源（２８）から照射された光を照射開口へ向かって反射案内するリフレクタ（２９）とを備えており、
発光構造（４）の照射開口が吹出口（１１）に臨むように発光構造（４）が配置されており、
発光構造（４）の後部に受風板（４９）が取り付けられていることを特徴とする請求項１に記載の光照射装置。
【請求項３】
温度センサー（９８）が受風板（４９）の前面に取り付けられていることを特徴とする請求項１または２に記載の光照射装置。
【請求項４】
リフレクタ（２９）の後部に光源台（４５）が設けられており、
光源台（４５）に固定した支持台（３４）の前部に光源（２８）が装着されており、
光源台（４５）の後部に支持台（３４）と受風板（４９）とが締結具（４７）により共締め固定されていることを特徴とする請求項２または３に記載の光照射装置。
【発明の詳細な説明】
【技術分野】
【０００１】
本発明は、赤外線を利用して毛髪などの乾燥を行うドライヤーや光を患部に照射する光治療器などの、光源を備える光照射装置に関する。
【背景技術】
【０００２】
この種の光照射装置は例えば特許文献１に開示されている。特許文献１に記載のドライヤー（光照射装置）は、円筒状の筐体の内部に、ファン（送風ファン）と、熱線性光源（光源）と、熱線性光源の周囲を覆う反射体（リフレクタ）と、反射体の開口に配置されるフィルタなどを備える。熱線性光源は、ハロゲンランプ、白熱ランプ、キセノンランプ、メタルハライドランプなどで構成される。反射体の開口にフィルタを設けることにより、熱線性光源から放射された光（電磁波）のうち可視光の殆どを遮断して、髪を加熱する赤外光のみを透過させることができる。
【先行技術文献】
【特許文献】
【０００３】
【特許文献１】国際公開第２０１６／０７２０３１号
【発明の概要】
【発明が解決しようとする課題】
【０００４】
特許文献１のドライヤーによれば、従来のニクロム線ヒーターを熱源とするドライヤーに比べて消費電力を低減できる。しかし、使用中の異常な温度上昇に対処する構成は開示されていない。
【０００５】
本発明の目的は、異常な温度上昇に対して確実に対処できる光照射装置を提供することにある。
【課題を解決するための手段】
【０００６】
本発明の光照射装置は、発光構造４と、同構造４を収容するケース構造１とを備えている。ケース構造１の内部に導風路９が形成され、導風路９の前端に吹出口１１が開口されている。導風路９の内部に、吹出口１１の側から順に発光構造４と、風を発光構造４および吹出口１１へ向かって送給する送風構造３とが配置されている。送風構造３から送給される風を受ける受風板４９と発光構造４の駆動を制御する温度センサー９８が設けられている。温度センサー９８は、受風板４９に取り付けられている。受風板４９は、発光構造４に取り付けられている。（図１参照）。
【０００７】
発光構造４が、光源２８と、前部に照射開口を有し、光源２８から照射された光を照射開口へ向かって反射案内するリフレクタ２９とを備えている。発光構造４の照射開口が吹出口１１に臨むように発光構造４が配置されている。発光構造４の後部に受風板４９が取り付けられている。
【０００８】
温度センサー９８が受風板４９の前面に取り付けられている。
【０００９】
リフレクタ２９の後部に光源台４５が設けられている。光源台４５に固定した支持台３４の前部に光源２８が装着されている。光源台４５の後部に支持台３４と受風板４９とが締結具４７により共締め固定されている。
【発明の効果】
【００１０】
本発明の光照射装置においては、温度センサー９８が受風板４９に取り付けられており、受風板４９が発光構造４に取り付けられている。通常の風量による送給時には受風板４９が十分な風を受けて発光構造４からの熱伝導による熱が途中で熱交換されて温度センサー９８を作動させる温度まで上昇しないが、例えば吹出口１１がタオルなどで覆われた際は風量が減少し、このため受風板４９が十分に冷却できなくなり発光構造４からの熱伝導による熱が温度センサー９８を作動させる温度まで上昇する。したがって、異常な使用状態となったときには確実に温度センサー９８を作動させることができ、これにより発光構造４の駆動を停止または出力を低下させてケース構造１内の温度上昇を抑制できる。
【００１１】
発光構造４の後部に受風板４９が取り付けられている。受風板４９は送風構造３に近い位置で風を受けるので受風板４９は比較的低い温度状態に保持されている。そのため何らかの原因により風量が低下した場合、受風板４９は急激に温度上昇することになる。したがって受風板４９に取り付けられている温度センサー９８も急激に温度上昇するため同センサー９８を異常から早い段階で作動させることができる。
【００１２】
温度センサー９８が受風板４９の前面に取り付けられている。これにより、綿埃などの塵埃が温度センサー９８に付着することを抑止でき、温度センサー９８の誤作動を防止できる。
【００１３】
光源台４５の後部に支持台３４と受風板４９とが締結具４７により共締め固定されている。これにより、光源台４５や支持台３４の熱を締結具４７で受風板４９に熱移動できるので、異常時の受風板４９の温度上昇をより早く行うことができ、温度センサー９８を異常からより早い段階で作動させることができる。
【図面の簡単な説明】
【００１４】
【図１】本発明の実施例１に係る光照射装置の要部の縦断側面図である。
【図２】実施例１に係る光照射装置の縦断側面図である。
【図３】実施例１に係る光照射装置の発光構造を示す縦断側面図である。
【図４】実施例１に係る光照射装置の発光構造を示す横断平面図である。
【図５】実施例１に係る光照射装置のケース構造を示す分解側面図である。
【図６】実施例１に係る光照射装置のケース構造を示す分解斜視図である。
【図７】実施例１に係る光照射装置のリフレクタを示す分解斜視図である。
【図８】実施例１に係る光照射装置の発光構造を示す分解断面図である。
【図９】実施例１に係る光照射装置の防眩構造を示す断面図である。
【図１０】図３におけるＡ−Ａ線断面図である。
【図１１】図３におけるＣ−Ｃ線断面図である。
【図１２】図３におけるＢ−Ｂ線断面図である。
【図１３】実施例２に係る光照射装置の概略縦断側面図である。
【発明を実施するための形態】
【００１５】
（実施例１）  図１ないし図１２に、本発明に係る光照射装置をヘアードライヤー（以下単にドライヤーと言う）に適用した実施例１を示す。本実施例における前後、左右、上下とは、図２、および図６に示す交差矢印と、各矢印の近傍に表記した前後、左右、上下の表示に従う。図２および図３においてドライヤーは、中空筒状の本体ケース（ケース構造）１の内部に、ファンモータ（駆動源）２で回転駆動される軸流型の送風ファン（送風構造）３と、加熱源となる光源ユニット（発光構造）４などを収容して構成される。本体ケース１は、左右に分割された一対の半割体７ａ・７ｂを接合して形成される風導筒７と、風導筒７に外嵌装着される外装筒８とを備える。風導筒７の内面は、送風ファン３から送給される乾燥風（風）の導風路９とされており、導風路９の後端に空気の吸込口１０が設けられ、前端に空気の吹出口１１が設けられている。風導筒７の後部下面には、グリップ１２が一体に形成されており、その内部にメインスイッチ１３と、消灯スイッチ１４と、トランス１５などが配置されている。符号１６はメインスイッチ１３を切換えるスライドノブ、１７は消灯スイッチ１４を切換える押ボタンである。なお、本実施例では風導筒７の内部を導風路９として構成したが、本体ケース１が風導筒７を備えていない構造である場合には、外装筒８の内部が導風路９として構成される。また、導風路９を構成する風導筒７または風導筒８の内壁に、マイカないし金属からなる断熱用の筒体が設けられていてもよい。
【００１６】
送風ファン３は本体ケース１の後半部に配置されており、風導筒７に固定したファンケース２０のホルダー部２１にファンモータ２が固定されており、吸込口１０から吸い込んだ空気を送風ファン３で加圧して吹出口１１へ向かって送給する。ファンケース２０とホルダー部２１の間には、複数個の整流翼２６が形成されている。ホルダー部２１の前面には、ファンモータ２や後述するハロゲンランプ（光源）２８、およびイオン放出構造の駆動状態を制御する制御基板２２などが固定されている。先のメインスイッチ１３がオフ位置から弱運転位置に切換えられると、制御部はハロゲンランプ２８を低輝度状態で点灯し、送風ファン３を低速で駆動する。メインスイッチ１３が弱運転位置から強運転位置に切換えられると、制御部はハロゲンランプ２８を高輝度状態で点灯し、送風ファン３を高速で駆動する。後述するイオン放出構造は、弱運転位置、および強運転位置のいずれの場合にも作動してマイナスイオンを放出する。ハロゲンランプ２８が点灯している状態で、消灯スイッチ１４がオン操作されると、制御部はハロゲンランプ２８を一時的に消灯させる。
【００１７】
吸込口１０の外面は、パンチングメタル製の第１グリル２３と、多重リング状の第２グリル２４で覆われている。また、吹出口１１の内面は吹出グリル（第３グリル）２５で覆われている。第２グリル２４と吹出グリル２５とは、半割体７ａ・７ｂで挟持固定されており、第１グリル２３は風導筒７の後部に着脱可能に装着されている。風導筒７は、前すぼまり状に形成されており、光源ユニット４と吹出口１１の間に配置されている。
【００１８】
吹出口１１は、外装筒８の前端内面に装着したポリカーボネイト製の吹出ケース５と、吹出ケース５の内面に固定したＰＰＳ樹脂製の補助吹出ケース６で形成されている。吹出ケース５は、前拡がりテーパ状のリング体からなり、その前開口の周縁に部分筒状の接当部５ａが形成され、リング壁の後面の４個所に係合脚５ｂが後向きに突設されている。各係合脚５ｂには係合溝５ｃが形成されている。外装筒８の前部内面には、接当部５ａを受止めるケース受座８ａがＣ字状に張出し形成されている。また、風導筒７の前部外面の周方向４個所には、係合溝５ｃと係合する係合壁７ｃが形成されている。図３および図４に示すように、吹出口１１に臨む風導筒７の前部には、前すぼまり状の風導筒７の筒壁と吹出ケース５とによって、内凹み状のくびれ部３５が形成されており、くびれ部３５の内面に吹出グリル２５が配置されている。
【００１９】
吹出ケース５を外装筒８の前方から組み付けて、接当部５ａがケース受座８ａで受止め支持された状態で、吹出ケース５を回転操作することにより、係合脚５ｂの係合溝５ｃと係合壁７ｃとが互いに係合して、外装筒８と吹出ケース５と風導筒７の３者を一体化している。上記のように吹出ケース５は、４個の係合脚５ｂと、係合脚５ｂに対応して風導筒７の前部外面に設けた４個の係合壁７ｃとで構成される吹出口連結構造によって風導筒７にバヨネット連結されており、吹出ケース５の下端を外装筒８の周面側からねじ込んだビス１９（図３参照）で締結することにより、外装筒８と一体化されている。
【００２０】
補助吹出ケース６は花弁状のリング体からなり、赤外線および乾燥風の通過を許す円形の通口９６を備えており、通口９６の下側に乾燥風の一部とマイナスイオンの通過を許すイオン通口９７が横長長円状に形成されている。通口９６の直径は、後述する照射開口の直径より僅かに大きく設定されている。以上のように構成した吹出口１１は、乾燥風の吹出口として機能する以外に、ハロゲンランプ２８から照射される赤外線（熱線）をユーザーの毛髪へ向けて照射する照射口を兼ねている。
【００２１】
図３および図４において光源ユニット４は、ハロゲンランプ２８と、リフレクタ２９と、リフレクタ２９の前面の照射開口に装着されるフィルタ３０を備えた１個のユニット部品からなる。ハロゲンランプ２８は、発光部（フィラメント）３６と不活性ガス及びハロゲンガスなどを封入した前後に長いバルブ３１とハウジング３２を備えており、ハウジング３２のプラグ３３をソケット（支持台）３４に差込み装着することにより、ソケット３４で固定支持されている。ソケット３４は後述する光源台４５に締結固定されている。ハロゲンランプ２８を点灯すると、バルブ３１の発光部３６から可視光と赤外光が照射される。フィルタ３０は、赤外光は透過するが可視光の透過を阻むように構成されており、これにより、ユーザーはハロゲンランプ２８の眩しさを感じることはない。なお、可視光の透過を阻むとは、完全に可視光を遮ることを意味するものではなく、可視光を減衰することを含む概念である。もちろん、可視光を完全に遮って赤外光のみが透過可能なものも含む。
【００２２】
リフレクタ２９は、前リフレクタ３７と後リフレクタ３８を接合して構成されている。図７に示すように前リフレクタ３７は、左右に分割形成された一対の分割体３７ａ・３７ｂを接合して構成されている。これら分割体３７ａ・３７ｂはアルミニウムなどの金属製のプレス成形品からなり、その内面には反射面が形成されている。反射面は、研磨加工や鏡面仕上げ加工などで形成することができ、必要があればメッキ処理を施すことができる。
【００２３】
前リフレクタ３７の内面には、ハロゲンランプ２８から照射された光をフィルタ３０へ向かって前向きに反射案内する第１反射面３９と、ハロゲンランプ２８から照射された光を、第３反射面４３へ向かって後向きに反射案内する第２反射面４０とが設けられている。第２反射面４０は第１反射面３９に隣接する状態で形成されている。分割体３７ａ・３７ｂの前端内面にはフィルタ受座４１が形成されており、フィルタ受座４１の後周面には第２通気口４２が２個ずつ形成されている。第２通気口４２は、分割体３７ａ・３７ｂを接合した状態において、前リフレクタ３７の前端寄りの壁面に、スリット状の開口として全周にわたって形成されている。前リフレクタ３７は、１個の反射筒で構成してあってもよい。その場合にはアルミニウムなどの金属を素材とするダイキャスト成形品で構成することができる。
【００２４】
後リフレクタ３８は、アルミニウムなどの金属を素材とするダイキャスト成形品からなり、その前面にハロゲンランプ２８から照射された光および第２反射面４０で反射案内された光を、フィルタ３０へ向かって前向きに反射案内する凹面鏡状の第３反射面４３が設けられている。反射面は研磨加工や、鏡面仕上げ加工などで形成することができ、必要があればメッキ処理を施して形成することができる。第３反射面４３の後側には、ハロゲンランプ２８を支持する光源支持構造が設けられている。後リフレクタ３８後部には、後述する光源台４５と導風壁４６が一体形成されている。
【００２５】
光源支持構造は、ハロゲンランプ２８を支持する４個のボスからなる光源台４５と、光源台４５の周囲を囲む、６角筒状の導風壁４６とを備えており、先に説明したソケット３４が各光源台４５に４個の金属製のビス（締結具）４７により受風板４９とともに共締め固定されている。第３反射面４３の中央には、乾燥風をリフレクタ２９の内部に導入するための第１通気口４８が形成されている。ソケット３４の材質は、セラミックである。受風板４９の材質は、銅、アルミなどの金属である。
【００２６】
受風板４９は、円形の薄板状のベース板４９ａと、ベース板４９ａに一体で形成される帯部４９ｂからなり、帯部４９ｂをベース板４９ａ側に折り曲げることにより、空間４９ｃが形成されている。ベース板４９ａは本体ケース１の軸方向、つまり乾燥風の流れる方向から視て円形となるように配置されている。図３に示すように空間４９ｃに温度センサー９８が取り付けられる。温度センサー９８は、少なくともその一部が空間４９ｃを形成する帯部４９ｂまたは／およびベース板４９ａに接触している。帯部４９ａは、送風ファン３から送給される乾燥風を受ける側とは反対側に折り曲げられており、これによって形成される空間４９ｃに温度センサー９８が取り付けられるので、ベース板４９ａの存在により乾燥風がダイレクトに温度センサー９８に当たることがない。したがって、経年使用によって綿埃などの塵埃が温度センサー９８の周囲に溜り、温度センサー９８が誤作動するといった不具合を解消できる。帯部４９ｂはベース板４９ａと一体で形成する必要はなく、別体で形成することができる。この場合、例えば後述する図１３の実施例のように帯部４９ｂを断面ハット型の支持板４９ｄとし、この支持板４９ｄをハトメやビスなどの締結具でベース板４９ａに固定すればよい。また、ベース壁４９ｂは２分割あるいは３分割構造であってもよく、その場合それぞれの分割体の一部を重ね合わせたうえでハトメやビスなどの締結具で連結すればよい。また、ベース壁４９ｂは、円形に形成する必要はなく、短冊状あるいは半円状に形成することができる。
【００２７】
温度センサー９８は、バイメタル式のサーモスタットからなり、光源ユニット４のハロゲンランプ２８に回路的に直列で接続されている。温度センサー９８が設定温度になるとバイメタルの一方が他方から離れて回路が開状態となりハロゲンランプ２８へ供給される電流が遮断される。上述したように温度センサー９８は受風板４９の一部に取り付けられており、受風板４９は発光構造４の一部に取り付けられている。通常使用時には受風板４９が十分な風量の冷風を受けて光源ユニット４からの熱伝導による熱が途中で熱交換されて温度センサー９８を作動させる温度まで上昇しないが、例えば吹出口１１がタオルなどで覆われた際は風量が減少し、このため受風板４９が十分に冷却できなくなり光源ユニット４からの熱がそのまま温度センサー９８に供給され、同センサー９８を作動させる温度まで上昇する。したがって、吹出口１１がタオルなどで覆われる、あるいは送風ファン３駆動用のファンモータ２がロックして駆動を停止するなどの異常な使用状態となったときには熱伝導による熱によって確実に温度センサー９８を作動させることができ、これにより光源ユニット４の駆動を停止させて本体ケース１内の温度上昇を抑制できる。ハロゲンランプ２８から照射される赤外光は、ランプ自身、リフレクタ２９、光源台４５、ソケット３４を加熱するが、後述のように光源冷却通路によりそれぞれは冷却される。ただし風量が低下する異常時には、上記光源冷却通路の風量も低下するので上記各部材は急激に温度上昇する。この急激な温度上昇による熱を受風板４９が受熱し、熱伝導による熱移動によって温度センサー９８に熱を供給してこれを作動できるので、異常時から早い段階でハロゲンランプ２８の駆動を停止できる。
【００２８】
また、光源ユニット４は、ハロゲンランプ２８と、前部に照射開口を有し、ハロゲンランプ２８から照射された光を照射開口へ向かって反射案内するリフレクタ２９とを備えているが、図３に示すように発光構造４の照射開口が吹出口１１に臨むように発光構造４が配置されている。そして上述したように光源ユニット４の後部の端面に受風板４９が取り付けられている。受風板４９は送風ファン３に近い位置で風を受けるので受風板４９は冷風により比較的低い温度状態に保持されている。そのため何らかの原因により風量が低下した場合、受風板４９は急激に温度上昇することになる。したがって受風板４９に取り付けられている温度センサー９８も急激に温度上昇するため同センサー９８を異常から早い段階で作動させることができる。
【００２９】
温度センサー９８が受風板４９の前面に取り付けられている。受風板４９の前面とは、受風板４９を導風路９に配置したときに送風ファン３から送給される風が当たる面とは反対側の面のことである。これにより、綿埃などの塵埃が温度センサー９８に付着することを抑止でき、温度センサー９８の誤作動を防止できる。
【００３０】
リフレクタ２９の後部に光源台４５が設けられている。光源台４５に固定したソケット３４の前部にハロゲンランプ２８が装着されている。光源台４５の後部にソケット３４と受風板４９とがビス４７により共締め固定されている。これにより、光源台４５やソケット３４の熱をビス４７で受風板４９に熱移動できるので、異常時の受風板４９の温度上昇をより早く行うことができ、温度センサー９８を異常からより早い段階で作動させることができる。温度センサー９８は、サーモスタットに替えて正特性サーミスタ、負特性サーミスタあるいはその他の半導体センサなどを用いることができる。この場合、同センサからの信号を先の制御部に送りこの制御部によりハロゲンランプ２８の出力をゼロにするあるいは出力を低下させる制御を行う。また、サーモスタットに替えて温度ヒューズを用いることができる。あるいは、受風板４９の前面に空間４９ｃを２つ形成して、それぞれの空間にサーモスタットと温度ヒューズを取り付けることができる。
【００３１】
受風板４９は、ハロゲンランプ２８に電力を供給するリード線や、ファンモータ２に電力を供給するリード線などを、いったんまとめて振り分けるための回路基板を兼用している。受風板４９の、リード線が取り付けられている部分は樹脂やマイカなどの絶縁体が設けられている。回路基板は、受風板４９とは別体で設けることができる。この場合、光源台４５の後部にソケット３４と受風板４９と回路基板とをビス４７により共締め固定する。導風壁４６とハロゲンランプ２８の間は光源冷却通路となっており、これを通過する風によりハロゲンランプ２８や導風壁４６は冷却される。上記冷却通路を流れる風は第１通気口４８に流れ込む。第１通気口４８を通過した風は、ハロゲンランプ２８とリフレクタ２９の間の光源冷却通路を流れて第２通気口４２からリフレクタ２９の外へ流出する。上記冷却通路を流れる風はハロゲンランプ２８やリフレクタ２９を冷却する。光源台４５に固定した受風板４９は、第１通気口４８から漏れ出た光が吸込口１０側へ照射されるのを阻止するための遮光板を兼ねている。上述したようにベース壁４９ｂを短冊状あるいは半円状に形成した場合でも第１通気口４８から漏れ出た光が吸込口１０側へ照射されるのを阻止する遮光板として機能している。ただし、漏れ出た光の一部の遮光に止まる。そのため、これを補うため例えば短冊状のベース板４９ａであれば、円形の回路基板に前後に貫通する凹部を形成し、凹部を形成する基板の一部と、ベース壁４９ａの少なくとも左右２つの辺とを重ね合わさった状態で対向させて、２者によって本体ケース１の軸方向から視て大略円形の構造体とすることができる。このとき上記凹部からベース壁４９ａの一部が露出するので乾燥風により冷却することができる。大略円形の構造体は、ソケット３４の部分が露出するように構成できる。これによって乾燥風により直接ソケット３４を冷却できる。この構成においては短冊状のベース壁４９ａに一体で左右に延設した脚部を設け、光源台４５の後部にソケット３４と脚部と回路基板とをビス４７により共締め固定する。。
【００３２】
第１反射面３９と、第２反射面４０と、第３反射面４３はそれぞれ以下のように構成されている。第１反射面３９は、楕円状の曲面で形成されている。また、第２反射面４０はハロゲンランプ２８の発光部３６を中心にした円弧面で形成されている。さらに、第３反射面４３は、楕円状の曲面、または放物線状の曲面で形成されている。このように、第２反射面４０がハロゲンランプ２８の発光部３６を中心にした円弧面で形成されていると、ハロゲンランプ２８から照射されて、第２反射面４０で反射されて第３反射面４３に向かう光の軌跡と、ハロゲンランプ２８から第３反射面４３に向かって直接照射される光の軌跡とを一致させることができる。本実施例においては、第１反射面３９で反射案内されてフィルタ３０へ向かう光と、第３反射面４３で反射案内されてフィルタ３０へ向かう光とは、発光部３６から約３０ｃｍ前方の本体ケース１の外部で集光される。
【００３３】
上記のように、３個の反射面３９・４０・４３を備えたリフレクタ２９によれば、ハロゲンランプ２８から照射されて各反射面３９・４０・４３に到達した光を、各反射面３９・４０・４３で効率良く反射案内してフィルタ３０に向って照射させることができる。また、前後に長いハロゲンランプ２８の発光部（フィラメント）３６の軸方向の中心を、第２反射面４０と第３反射面４３の隣接部分に臨ませたので、リフレクタ２９の径方向寸法が大きくなるのを防止してコンパクト化を実現しながら、ハロゲンランプ２８から照射された光をフィルタ３０に向かって照射させることができる。これは、ハロゲンランプ２８から照射された光を、例えば１個の反射面のみで反射案内する場合には、リフレクタ２９の照射開口の直径寸法が大きくなってしまい、その分だけリフレクタ２９が大形になるからである。発光部３６は、その発光中心が第２反射面４０と第３反射面４３の隣接部分に一致する状態で配置させる必要はなく、軸方向に長い発光部３６の一部が、第２反射面４０と第３反射面４３の隣接部分にオーバーラップしていればよい。さらに、第１反射面３９と、第２反射面４０と、第３反射面４３を備えたリフレクタ２９の前後寸法を、リフレクタ２９の径方向寸法より大きく設定したので、前後に長いハロゲンランプ２８を使用するのに適した細長い筒構造のリフレクタ２９を構成することができ、リフレクタ２９の径方向寸法が小さい分だけドライヤーをコンパクト化することができる。
【００３４】
上記の光源支持構造によれば、導風壁４６とハロゲンランプ２８の間の光源冷却通路が第１通気口４８と連通されるので、導風壁４６の後端開口から導入した乾燥風を、第１通気口４８からリフレクタ２９の内部へ流動させ、リフレクタ２９の内部を換気することができる。また、このとき第１通気口４８からリフレクタ２９の内部へ流動させた乾燥風を、ハロゲンランプ２８およびリフレクタ２９に接触させることで、これらハロゲンランプ２８およびリフレクタ２９を効果的に冷却して、ハロゲンランプ２８およびリフレクタ２９の温度上昇を抑制することができる。また、ビス４７を緩めてソケット３４を光源台４５から取外すことにより、ハロゲンランプ２８およびソケット３４をリフレクタ２９から簡単に分離することができ、また、プラグ３３をソケット３４から抜外すことにより、ハロゲンランプ２８をソケット３４から分離できるので、ハロゲンランプ２８が故障した場合の交換作業を容易に行うことができる。
【００３５】
前リフレクタ３７と後リフレクタ３８は、第２反射面４０と第３反射面４３とが隣接する状態で接合されて締結固定されている。両リフレクタ３７・３８を締結固定するために、分割体３７ａ・３７ｂの後縁に位置する係合壁５７に前係合部（凸状係合部）５１が折曲げられた状態で径方向へ突出形成されている。また、後リフレクタ３８の前端に、前リフレクタ３７の係合壁５７を嵌合支持する接合溝５２と、前リフレクタ３７の係合壁５７の周面を支持する接合壁５３が形成されており、さらに接合壁５３の対向２個所には、接合壁５３を切欠いて形成される後係合部（凹状係合部）５４とねじボス５５とが形成されている。
【００３６】
一対の分割体３７ａ・３７ｂを接合し、前係合部５１と後係合部５４とを凹凸係合させることにより、前リフレクタ３７と後リフレクタ３８とを接合することができる。また、前係合部５１の貫通孔５１ａに挿通したビス５６をねじボス５５にねじ込むことにより、前リフレクタ３７と後リフレクタ３８とを一体化できる。上記のように、前リフレクタ３７と後リフレクタ３８とは、前リフレクタ３７の係合壁５７と接合溝５２の係合により、径方向のずれ動きが阻止されており、さらに、前係合部５１と後係合部５４の係合により、中心軸Ｐ回りの回動が阻止されている。さらに、前係合部５１に挿通したビス５６をねじボス５５にねじ込むだけで、前リフレクタ３７と後リフレクタ３８を一体化できるので、前後のリフレクタ３７・３８をより簡単な締結構造で強固に固定することができる。従って、リフレクタ２９に設けた反射面３９・４０・４３の光学特性を常に一定にすることができる。なお、前係合部５１、後係合部５４、ビス５６は、対向２個所にある必要はなく、１個所のみで構成することができる。前リフレクタ３７は、３以上の分割体を接合して構成してもよい。
【００３７】
フィルタ３０は低膨張性ガラスで形成されており、フィルタ支持構造５９で前リフレクタ３７の照射開口に固定されている。フィルタ支持構造５９は、前リフレクタ３７に形成したフィルタ受座４１と、フィルタ受座４１と協同してフィルタ３０を前後に挟持固定する押えリング６０とからなる。押えリング６０は、フィルタ３０の前周縁を押え保持する端壁６１と、フィルタ受座４１の外周面に外嵌するリング状の周回壁６２とを備えており、この周回壁６２が後述する防眩壁７５として機能する。図４に示すように、押えリング６０はビス６３で前リフレクタ３７に固定されている。フィルタ受座４１はフィルタ３０の周面および後周縁に密着されており、フィルタ３０の熱を前リフレクタ３７側へ効果的に伝導させて、フィルタ３０の冷却を促進し常に適温状態に維持することができる。
【００３８】
上記のように、フィルタ支持構造５９は、前リフレクタ３７に形成したフィルタ受座４１と、同受座４１と協同してフィルタ３０を挟持固定する押えリング６０を備える。こうしたフィルタ支持構造５９によれば、フィルタ３０をフィルタ受座４１に組み、押えリング６０を前リフレクタ３７の前部周面に外嵌し固定することで、フィルタ３０を前リフレクタ３７に簡単に組んで、分離不能にしっかりと固定することができる。
【００３９】
ハロゲンランプ２８は衝撃に弱く、大きな外力が作用するとフィラメントが揺れ動いて
ショートし断線するおそれがある。ハロゲンランプ２８に外部衝撃が作用するのを防ぐために、光源ユニット４は本体ケース１に対して浮動支持されている。詳しくは図４に示すように、光源ユニット４は、光源ユニット４の前部と風導筒７の間に設けた前支持構造と、光源ユニット４の後部と風導筒７の間に設けた後支持構造とで支持されている。
【００４０】
図１および図１０に示すように後支持構造は、光源支持構造の周囲を囲む風導筒７の内面に、光源ユニット４を支持するリング状のばね受枠６４を固定し、後リフレクタ３８とばね受枠６４の対向面の３個所に、光源ユニット４を支持する圧縮コイルばね（ばね体）からなる衝撃吸収ばね６９を配置している。前支持構造は、図１および図１１に示すように、フィルタ３０の周囲を囲む風導筒７の内面に、光源ユニット４を支持する６角リング状のユニット支持枠６６を固定し、後述する防眩壁７５とユニット支持枠６６の対向面の３個所に、光源ユニット４を支持するゲル状の粘弾性体６７を配置している。このように本実施例１では、前支持構造の衝撃吸収構造６５は、粘弾性体６７を衝撃吸収要素にして構成されており、後支持構造の衝撃吸収構造６５は、金属製の衝撃吸収ばね６９を衝撃吸収要素にして構成されている。粘弾性体６７は、低反発性の高分子ゲル、ゴム、熱可塑性エラストマーなどで形成することができる。
【００４１】
後支持構造のばね受枠６４は、金属製の板ばねで形成した３個のばね腕７０を６角枠状に連結して構成されており、各ばね腕７０の中央には、衝撃吸収ばね６９の一端を受止めるばね座７１が形成されている。ばね座７１と対向する後リフレクタ３８の導風壁４６にも衝撃吸収ばね６９の他端を受止めるばね座７２が形成されている。衝撃吸収ばね６９は金属線材で形成した円錐コイルばね（ばね体）からなり、その大径部がばね座７２で支持され、小径部がばね座７１で支持されている。前支持構造のユニット支持枠６６は、板ばねで６角枠状に形成されており、その３個所に粘弾性体６７を保持するゲル保持部７３が形成されている。ゲル保持部７３は側面視において断面角樋状に形成されており、粘弾性体６７は、角樋断面を備えるゲル保持部７３の前後端にわたってその内面側に固定されている。これらユニット支持枠６６および粘弾性体６７は、各粘弾性体６７の内面が押えリング６０の外周面に密着する状態でリフレクタ２９に装着されており、このとき粘弾性体６７の前後端は、押えリング６０の前後縁に被さっている（図１参照）。これにより、押えリング６０（リフレクタ２９）と粘弾性体６７とは、リフレクタ２９の径方向に凹凸係している。ばね受枠６４およびユニット支持枠６６は板バネ材で形成してあるので、本体ケース１に外部衝撃が作用する場合には、それぞれ厚み方向へ弾性変形して衝撃を吸収することができる。従って、ばね受枠６４と衝撃吸収ばね６９、およびユニット支持枠６６と粘弾性体６７が、それぞれ協働して外部衝撃を効果的に緩和し吸収できる。なお、ばね受枠６４とユニット支持枠６６は剛体であってもよいが、その場合には、衝撃吸収ばね６９および粘弾性体６７のみで外部衝撃を緩和吸収するとよい。
【００４２】
使用時には、ハロゲンランプ２８を点灯し、送風ファン３を駆動して、フィルタ３０を通過した赤外線を髪に照射し、さらに、送風ファン３から送給された乾燥風（冷却風）を髪に送給して髪の乾燥を行う。乾燥風の一部は後開口５８から導風壁４６内へ導入され、光源冷却通路から第１通気口４８へ流入しながら、ハロゲンランプ２８とリフレクタ２９、およびフィルタ３０を冷却したのち、第２通気口４２からリフレクタ２９の外へ流出し、導風路９を流動する乾燥風と合流して吹出口１１から送出される。送風ファン３から送給された乾燥風の一部は、光源ユニット４の周囲の導風路９に沿って流動する間に、第２通気口４２の周囲を負圧状態にする。従って、ベンチュリー効果によって、リフレクタ２９内部の第２通気口４２の付近の空気が先の乾燥風に引寄せられて合流し、吹出口１１へと送出される。
【００４３】
乾燥風が第２通気口４２から流出するとき、ハロゲンランプ２８から照射された光の一部が第２通気口４２から漏れ出てしまう。このように、第２通気口４２から漏れ出た光が吹出口１１から照射されて、髪乾燥時のユーザーに眩しさを感じさせるのを防ぐために、第２通気口４２の外面に、第２通気口４２から漏れ出た光を吹出口１１から遠ざかる向きに変向案内する防眩構造が設けられている。図９において防眩構造は、第２通気口４２の開口外面を覆う筒状の防眩壁７５を備えており、先に説明した周回壁６２が防眩壁７５を兼ねている。
【００４４】
第１反射面３９と第２反射面４０が隣接するくびれ部分の周囲に、美容成分を乾燥風に放出する徐放リング８０が配置してある。徐放リング８０は、内リング８１と、外リング８２と、両リングの間に設けられる一群の放射壁８３を一体に備えた多孔セラミック体からなり、その多孔部分にビタミンやコラーゲンなどの美容成分が含浸されている。ユニット支持枠６６と、徐放リング８０と、ばね受枠６４は、それぞれ風導筒７の半割体７ａ・７ｂの対向面の前後３個所に設けた前挟持部８６と、中挟持部８７と、後挟持部８８で強固に挟持固定されている。上記のように、導風路９に臨んで徐放リング８０が設けられていると、徐放リング８０と接触する乾燥風に美容成分を放出して、美容成分を含む乾燥風を吹出口１１から送給することができる。
【００４５】
マイナスイオンを乾燥風とともに髪へ送給するために、吹出口１１に臨む風導筒７の内部にイオン放出構造を設けるとともに、風導筒７を光源ユニット４と吹出口１１の間で前すぼまり状に形成している。図３および図４においてイオン放出構造は、絶縁材で形成される横長長円状の電極ホルダー９１と、電極ホルダー９１で支持される３個の放電電極９２と、放電電極９２の周囲を囲む横長長円状の筒壁９３と、筒壁９３の周囲に固定される対向電極９４とを備えている。さらに電極ホルダー９１には、対向電極９４の外側周囲に横長長円状の外筒壁９３ａが設けられており、これら筒壁９３と外筒壁９３ａとで電極ホルダー９１の前半部は２重筒状に構成されている。このように外筒壁９３ａを設けることにより、放電電極９２から放出されたマイナスイオンが、対向電極９４の外面側へとまわり込むのを阻止して、当該マイナスイオンが対向電極９４に吸収されるのを抑制できる。図５に示すように対向電極９４の前縁には一群の尖端放電部９４ａが形成されている。電極ホルダー９１は風導筒７に設けた一対の挟持壁９５で挟持固定されて、放電電極９２がイオン通口９７に指向されている。
【００４６】
上記のように、吹出口１１に臨む風導筒７の内部にイオン放出構造が設けられていると、光源ユニット４から照射される赤外光と、イオン放出構造から放出されるマイナスイオンを乾燥風とともに髪へ送給することができる。従って、髪の乾燥を行いながら、マイナスイオンと結合した空気中の水分を髪に付着させて、髪が不必要に乾燥することを防ぐことができる。また、吹出口１１と正対する側から見るときのイオン放出構造の放電電極９２は光源ユニット４と風導筒７の間に位置されているので、イオン放出構造で生成されたマイナスイオンを導風路９に放出して、送風ファン３から送給される乾燥風とともに吹出口１１から遠くまで送給することができる。
【００４７】
以上より、実施例１のドライヤーにおいては、光源ユニット４と本体ケース１との間に衝撃吸収ばね６９と粘弾性体６７とからなる衝撃吸収構造６５を設けたので、本体ケース１に作用する外部衝撃が光源ユニット４に伝わることを、これら衝撃吸収ばね６９と粘弾性体６７とで緩和吸収して、光源ユニット４に外部衝撃が作用することを確実に防止することができる。従って、ドライヤーに落下衝撃や衝突衝撃などの外部衝撃が作用するような場合でも、ハロゲンランプ２８がショートし断線することを確実に防止して耐久性に優れたドライヤーを得ることができる。
【００４８】
本体ケース１の導風路９の内部に光源ユニット４と送風ファン３を配置し、光源ユニット４と本体ケース１の間に設けた衝撃吸収構造６５を、金属製のばね体である衝撃吸収ばね６９を衝撃吸収要素にして構成したので、送風ファン３から送給される乾燥風が、ハロゲンランプ２８からの熱伝導で加熱された衝撃吸収ばね６９と接触することによっても、当該乾燥風を温風化して吹出口１１から送出させることができる。従って、ハロゲンランプ２８から照射される光による加熱作用に加えて、温風化された乾燥風による加熱作用を発揮され、加熱効率に優れたドライヤーを得ることができる。
【００４９】
前支持構造の衝撃吸収構造６５を粘弾性体６７で構成し、後支持構造の衝撃吸収構造６５を衝撃吸収ばね６９で構成したので、光源ユニット４の前部と本体ケース１の位置関係を粘弾性体６７で維持しながら、光源ユニット４の後部の揺れ動きを衝撃吸収ばね６９で緩和吸収することができる。また、上記構成を採ることで、外部衝撃が作用したときにも、前支持構造で支持された光源ユニット４の前部の径方向変位量を、後支持構造で支持された光源ユニット４の後部の径方向変位量より小さくすることができる。以上より、外部衝撃が光源ユニット４のハロゲンランプ２８に伝わることを衝撃吸収ばね６９で緩和吸収しながら、ハロゲンランプ２８から照射される光の照射中心軸が大きくぶれることを防ぐことができるので、吹出口１１の周辺の構造体がハロゲンランプ２８から照射される光を受けて無駄に加熱されることを確実に防止できる。
【００５０】
また、前支持構造の衝撃吸収構造６５を粘弾性体６７で構成し、後支持構造の衝撃吸収構造６５を衝撃吸収ばね６９で構成したので、本体ケース１に作用する外部衝撃を、光源ユニット４の前部と後部を支持する衝撃吸収構造によって、協同して緩和吸収することができる。従って、光源ユニット４の前部、または後部のみが衝撃吸収構造６５で支持されている構成に比べて、外部衝撃をより効果的に緩和し吸収して、光ハロゲンランプ２８がショートし断線するのをさらに確実に防止できる。リフレクタ２９の前部の径方向寸法を基準にして本体ケース１を構成することができるので、本体ケース１が肥大化するのを避けながら、外部衝撃を粘弾性体６７と衝撃吸収ばね６９とでさらに効果的に緩和吸収することができる。
【００５１】
リフレクタ２９と粘弾性体６７とを、リフレクタ２９の径方向に凹凸係合する状態で接合したので、光源ユニット４の径方向移動と前後（中心軸Ｐ）方向の移動を粘弾性体６７で緩和吸収して、光源ユニット４のハロゲンランプ２８が外部衝撃を受けて揺れ動くことを速やかに収斂させることができる。
【００５２】
後支持構造の衝撃吸収構造６５を、光源ユニット４の周囲３個所を支持するコイルばねからなる衝撃吸収ばね６９で構成するようにしたので、光源ユニット４のリフレクタ２９を、本体ケース１の中央付近の所定位置に位置保持した状態で浮動支持することができる。また、衝撃吸収ばね６９が外部衝撃を受けて伸縮変形する場合に、各衝撃吸収ばね６９を速やかに収斂させて、光源ユニット４を安定した状態で支持できる。因みに、光源ユニット４の周囲２個所が一対のコイルばねで支持した場合には、光源ユニット４がばね中心線と交差する向きに揺れ動くため、光源ユニット４を安定させるのに余分な時間が掛かる。乾燥風の流れが衝撃吸収ばね６９で乱されるのを極力避けて、乾燥風の送風効率を向上できる利点もある。
【００５３】
本体ケース１の内面にリング状のばね受枠６４を固定し、リフレクタ２９と対向するばね受枠６４の３個所にばね座７１を形成して、ばね座７１とリフレクタ２９の間に、衝撃吸収ばね６９を配置した。これによれば、本体ケース１の内面に固定したばね受枠６４に光源ユニット４のリフレクタ２９を仮組した状態で、３個の衝撃吸収ばね６９を、ばね受枠６４のばね座７１とリフレクタ２９の間に順に組付ければよく、後支持構造をより少ない手間で的確に組むことができる。
【００５４】
六角リング状に形成したばね受枠６４の３個のリング枠部に、ばね座７１を周方向へ均等に隣接する状態で配置した。これによれば、直線状のリング枠部にばね座７１を形成すればよく、例えばばね受枠６４が円形リング状に形成してある場合に比べて、ばね座７１を容易に形成できるうえ、衝撃吸収ばね６９をばね座７１で安定した状態で支持することができる。また、ばね受枠６４と本体ケース１の内面の間に空間が形成されるので、ばね受枠６４の内外両面から放熱でき、さらに衝撃吸収ばね６９からも放熱することができ、放熱効果の向上が期待できる。とくに、本実施例のように、本体ケース１の内部に送風ファン３が設けられたドライヤーの場合には、ばね受枠６４と乾燥風の接触面積が大きい分だけ熱交換を促進して、乾燥風を効果的に温風化することができる。
【００５５】
前リフレクタ３７と後リフレクタ３８とで構成されるリフレクタ２９において、前後のリフレクタ３７・３８のいずれか一方の接合部に形成した接合溝５２に、他方の接合部に設けた係合壁５７を互いに凹凸係合して、前後のリフレクタ３７・３８を接合した。これによれば、係合壁５７と接合溝５２の係合により、後リフレクタ３８に対する前リフレクタ３７の径方向のずれ動きが阻止された状態で両リフレクタ３７・３８を適正に接合することができる。
【００５６】
接合溝５２を備えた一方のリフレクタ３８に凹状の後係合部５４を形成し、他方のリフレクタ３７に、後係合部５４と係合する凸状の前係合部５１を形成した。これによれば、凸状係合部５１と凹状係合部５４の係合により、一方のリフレクタ３８に対する他方のリフレクタ３７の中心軸Ｐ回りの回動が阻止された状態で両リフレクタ３７・３８を適正に接合することができる。
【００５７】
前係合部５１に挿通したビス５６を後係合部５４に形成したねじボス５５にねじ込むことで、前リフレクタ３７と後リフレクタ３８とを分離不能に固定したので、より簡単な締結構造でありながら、前リフレクタ３７と後リフレクタ３８とをビス５６で強固に締結固定することができる。従って、リフレクタ２９に設けた反射面３９・４０・４３の光学特性を常に一定にすることができる。
【００５８】
前リフレクタ３７を、複数の分割体３７ａ・３７ｂを接合して構成し、後リフレクタ３８の前リフレクタ３７との接合面に、接合溝５２と接合壁５３とを形成し、また、複数の分割体３７ａ・３７ｂを接合し、前リフレクタ３７の開口周縁壁を接合溝５２および接合壁５３で係合支持し、さらに、前係合部５１と後係合部５４を凹凸係合させて、前リフレクタ３７と後リフレクタ３８を一体化するようにした。こうしたリフレクタ２９によれば、分割体３７ａ・３７ｂを接合し、前係合部５１と後係合部５４を凹凸係合させた状態で、ビス５６をねじボス５５にねじ込むことにより、前リフレクタ３７と後リフレクタ３８とを強固に締結固定することができる。また、前リフレクタ３７と後リフレクタ３８の形状や構造が様々に変更される場合であっても、分割体３７ａ・３７ｂと後リフレクタ３８とを互いに位置決めした状態で適正に一体化することができる。
【００５９】
前リフレクタ３７の照射開口に、ハロゲンランプ２８から照射された光のうち可視光の透過を阻むフィルタ３０が配置するとともに、前リフレクタ３７を複数個の分割体３７ａ・３７ｂで構成した。また、前リフレクタ３７の前端内面に形成したフィルタ受座４１と、前リフレクタ３７の前部周面に外嵌固定される押えリング６０とで、フィルタ３０を挟持固定した。これによれば、フィルタ３０をフィルタ受座４１に組んで、その周面を分割体３７ａ・３７ｂで挟持した状態で、押えリング６０を前リフレクタ３７の前部周面に外嵌し固定することにより、フィルタ３０を前リフレクタ３７に対して簡単に組付けて、分離不能にしっかりと固定することができる。
【００６０】
リフレクタ２９の後部の光源台４５にソケット３４を固定し、ソケット３４にハロゲンランプ２８のハウジング３２を装着して、ハロゲンランプ２８を光源台４５で支持するようにしたので、ソケット３４を光源台４５から取外すことにより、ハロゲンランプ２８およびソケット３４をリフレクタ２９から分離することができる。また、プラグ３３をソケット３４から抜外すことにより、ハロゲンランプ２８をソケット３４から分離することができる。以上より、ハロゲンランプ２８が故障した場合の交換作業を容易に行うことができる。さらに、ハロゲンランプ２８をリフレクタ２９の後部に設けた光源台４５で安定して支持することができるので、ハロゲンランプ２８とリフレクタ２９の位置関係を常に一定にして、ハロゲンランプ２８から照射された光をフィルタ３０に向かって効率良く反射案内することができる。
【００６１】
光源台４５の回りを囲む導風壁４６に、衝撃吸収ばね６９用のばね座７２を形成したので、衝撃吸収ばね６９のばね力を導風壁４６で受け止めて、後リフレクタ３８の第３反射面４３にばね力が作用するのを防止でき、第３反射面４３による光の反射案内を常に好適に行うことができる。
【００６２】
吹出口１１に臨む導風路９の内部にイオン放出構造が設けたので、光源ユニット４から照射される赤外光と、イオン放出構造から放出されるマイナスイオンとを、乾燥風とともに髪へ送給することができる。従って、髪の乾燥を行いながら、マイナスイオンと結合した空気中の水分を髪に付着させて、髪が不必要に乾燥することを防止できる。また、電極ホルダー９１で支持される３個の放電電極９２と、横長長円状の筒壁９３の周囲に固定される対向電極９４とでイオン放出構造を構成したので、各放電電極９２と対向電極９４の間で活発にコロナ放電を生じさせて、より大量のマイナスイオンを乾燥風中に放出させることができる。
【００６３】
対向電極９４の前縁に複数の尖端放電部９４ａを形成したので、対向電極９４と放電電極９２の間のコロナ放電をさらに活発化して、マイナスイオンを安定した状態で効果的に生成することができる。
【００６４】
吹出口１１と正対する側から見て、放電電極９２を光源ユニット４と本体ケース１の間に配置したので、イオン放出構造で生成されたマイナスイオンを、光源ユニット４と本体ケース１の間の導風路９に放出することができる。従って、マイナスイオンを送風ファン３から送給される乾燥風とともに吹出口１１から遠くまで送給することができる。
【００６５】
イオン放出構造を、光源ユニット４の光照射領域の外に位置する状態で、光源ユニット４と吹出口１１の間に配置したので、イオン放出構造で生成されたマイナスイオンを、光源ユニット４と吹出口１１の間の自由空間に放出して乾燥風とともに吹出口１１から送給することができる。また、光源ユニット４の光照射領域の外で、光源ユニット４と吹出口１１の間にイオン放出構造を配置したので、光源ユニット４から照射された光がイオン放出構造で遮られるのを防ぎながら、光源ユニット４と吹出口１１の間のスペースを利用してイオン放出構造を配置することができる。従って、イオン放出構造を設けることで本体ケース１の径方向寸法が大きくなるのを避けて、本体ケース１をコンパクト化することができる。
【００６６】
風導筒７を、光源ユニット４と吹出口１１の間で前すぼまり状に形成したので、吹出口１１に向かって送給される乾燥風の流速を増強して、乾燥風中に放出されたマイナスイオンを、乾燥風とともに吹出口１１からさらに遠くまで送給することができる。
【００６７】
本体ケース１を、風導筒７と、風導筒７に外嵌装着される外装筒８とで２重筒状に構成し、また、吹出口１１に臨む風導筒７の前部に、内凹み状のくびれ部３５を形成し、くびれ部３５の内面に吹出グリル２５を配置したので、２重筒状の風導筒７と外装筒８で本体ケース１の構造強度を増強して、衝撃吸収機能を向上することができる。また、２重筒状の風導筒７と外装筒８によって、本体ケース１全体の断熱機能を向上できるうえ、風導筒７の前部に形成したくびれ部３５の周囲の空気層によって断熱作用を強化できるので、高温になっている吹出グリル２５周辺のケース壁の熱が外装筒８に伝導するのをさらに確実に防止して、吹出口１１の近傍のケース壁が高温になるのを解消できる。
【００６８】
２分割された一対の半割体７ａ・７ｂで風導筒７を構成し、外装筒８を風導筒７に外嵌することにより、一対の半割体７ａ・７ｂを分離不能に保持できるようにした。また、外装筒８の前端内面に装着した吹出ケース５で、風導筒７と外装筒８を係合連結し、吹出ケース５をビス１９で外装筒８に締結固定するようにした。こうしたケース構造によれば、２重筒状の風導筒７と外装筒８を吹出ケース５で分離不能に保持固定して、基本的な構造体である風導筒７や外装筒８が遊動し、あるいはがたつくことを確実に防止できる。
【００６９】
吹出ケース５と風導筒７は吹出口連結構造で着脱可能に係合連結した。また吹出口連結構造は、吹出ケース５の後面に形成した複数個の係合脚５ｂと、風導筒７の前部外面に設けた複数の係合壁７ｃで構成し、吹出ケース５を回転操作することにより、係合脚５ｂと係合壁７ｃが互いに係合して、外装筒８と吹出ケース５と風導筒７の３者を一体化した。こうしたケース構造によれば、ビス１９を外装筒８から分離し、吹出ケース５を取外す向きに回転操作するだけで、外装筒８を風導筒７から分離し、さらに半割体７ａ・７ｂの一方を他方から取外すことで、本体ケース１に収容された光源ユニット４や送風ファン３などを露出させることができる。従って、ハロゲンランプ２８を交換し、あるいは送風ファン３のメンテナンスを行うような場合に、ケース構造をより少ない手間で簡単に分解してメンテナンス作業に要する手間を省くことができる。
【００７０】
また実施例１のドライヤーでは、リフレクタ２９の内部に導入した乾燥風でハロゲンランプ２８とリフレクタ２９を冷却しながら、乾燥風と共に第２通気口４２から漏れ出た光を防眩壁７５で遮蔽して、光が導風路９に沿って吹出口１１側へ向かって照射されることを防ぐことができる。例えば、第２通気口４２から漏れ出た光を、防眩壁７５で第２通気口４２の側へ向かって反射させ、あるいは防眩壁７５で散乱させ、さらに防眩壁７５で吸収し減衰させることができる。従って、リフレクタ２９の外へ漏れ出た光が吹出口１１から照射されるのを確実に防止して、髪乾燥時のユーザーに眩しさを感じさせることのないドライヤーを提供できる。
【００７１】
また、防眩壁７５を筒状に構成し、防眩壁７５の筒壁後端を第２通気口４２の後開口縁より後方へ突設させるようにしたので、第２通気口４２の後開口縁から径方向に照射された光や、斜め前向きに照射された光を、防眩壁７５の筒壁内面で確実に遮蔽できる。光の一部は、防眩壁７５とリフレクタ２９の周面の間の空間を介して導風路９に照射されるが、防眩壁７５の筒壁後端を第２通気口４２の後開口縁より後方に位置したので、導風路９に照射された光は全て後向きに傾斜した状態で反射を繰り返す。従って、導風路９内の光が吹出口１１へ向かって照射されるのをさらに確実に防止できる。
【００７２】
前リフレクタ３７と後リフレクタ３８でリフレクタ２９を構成し、前リフレクタ３７の前部に配置したフィルタ３０をフィルタ支持構造５９で固定するようにした。また、フィルタ支持構造５９は、前リフレクタ３７に形成したフィルタ受座４１と、同受座４１と協同してフィルタ３０を挟持固定する押えリング６０を備えるようにした。これによれば、フィルタ３０をフィルタ受座４１に組み、押えリング６０を前リフレクタ３７の前部周面に外嵌し固定することで、フィルタ３０を前リフレクタ３７に簡単に組付けて、分離不能にしっかりと固定することができる。
【００７３】
送風ファン３から送給された乾燥風は、第１通気口４８からリフレクタ２９の内部に導入されて第２通気口４２から送出される。これによれば、リフレクタ２９の内部における乾燥風の流れの方向と、送風ファン３から送給された乾燥風の導風路９における流れの方向を一致させることができるので、乾燥風の一部をリフレクタ２９の内部に確実に導入して、光源ユニット４とリフレクタ２９の冷却を適確に行うことができる。
【００７４】
また、防眩壁７５と第２通気口４２の間に通気通路７６を形成し、同通路７６の前端の通路端壁７７と防眩壁７５で挟まれる内隅部分に、乾燥風を後向きに反転案内する後反転案内面７８を形成するようにした。このように、防眩壁７５と通路端壁７７の間の内隅部分に後反転案内面７８が形成されていると、第２通気口４２を通過した後の乾燥風を後反転案内面７８で通気通路７６の後開口へ向かって円滑に反転案内することができる。従って、通気通路７６における乾燥風の流れを整然とした流れにして、光源ユニット４とリフレクタ２９を冷却した後の乾燥風の一部が第２通気口４２や通気通路７６で滞留するのを解消できる。
【００７５】
加えて、防眩壁７５の後端部に、通気通路７６から流出する乾燥空気を前向きに反転案内する前反転案内面７９を形成したので、通気通路７６から流出した乾燥空気を防眩壁７５の外面側へ向かって円滑に反転案内させて、導風路９を流動する乾燥風に合流させることができる。
【００７６】
（実施例２）  図１３に本発明の光照射装置（ドライヤー）の実施例２を示す。この実施例２においては、リフレクタ２９の後部にソケット３４がビス４７ａにより締結固定される。ソケット３４にハウジング３２に設けられるプラグ３３を差し込むことにより赤外線ランプ（光源）２８に駆動電力（駆動電流）を供給できる電気的接続状態となっている。本実施例の衝撃吸収構造は実施例１とは異なる。つまり光源ユニット４の後部の下面（側面）と、風導筒（ケース構造）７の間に配置した１個の衝撃吸収ばね６９で光源ユニット４を浮動支持するとともに、衝撃吸収ばね６９を金属製の板バネで横臥Ｕ字状に形成する点が実施例１と異なる。衝撃吸収ばね６９の上腕および下腕は、それぞれソケット３４および風導筒７に固定した。つまり、光源ユニット４の後部の側面と風導筒７との間で衝撃吸収ばね６９が固定されている。こうした衝撃吸収構造６５によれば、外部衝撃が作用した場合には、衝撃吸収ばね６９が上下に弾性変形することで光源ユニット４が揺れ動こうとするのを規制して、外部衝撃が風導筒７から光源ユニット４へ伝わることを緩和できる。また、衝撃吸収ばね６９は、図示されていない送風ファン３から送給される乾燥風を受ける受風板４９を兼ねており、その前面側に断面ハット状の金属製の支持板４９ｄを図示しないハトメ、ビスなどの締結具で固定している。支持板４９ｄと受風板４９との間には空間４９ｃが形成され、この空間４９ｃに温度センサー９８が取り付けられている。温度センサーと支持板４９ｄまたは／および受風板４９は接触している。実施例１と異なり衝撃吸収ばね６９が、乾燥風を受ける受風板４９を兼ねているので、受風板４９を省くことができコスト的に有利となる。
【００７７】
空気の吸込口１０は、上記の各実施例のように本体ケース１の後端背面に形成される形態に加え、本体ケース１の後端背面は塞がれ同ケース１の後端周側面に形成される形態であってもよい。本発明に係る導風路９の一端（後端）に設けられる吸込口１０とは、これら形態を含む意味である。本体ケース１の後端周側面に吸込口１０を設けた場合には、送風ファン３は、プロペラ型ないしインペラ型の軸流ファン、求心ファンなどで構成する。リフレクタ２９の形状は、乾燥対象への赤外光の照射態様により適宜変更することができる。本発明における光照射装置は、毛髪を乾燥対象とするヘアードライヤーに限らず、手足、爪などの身体部位、あるいは人用に限らず犬や猫など動物用のドライヤーにも適用でき、また、衣類用の衣類乾燥器にも適用できる。さらに、本発明の光照射装置は、乾燥対象に対して光を照射する機器であれば、例えば、毛髪を乾燥しながらカール状、あるいはストレート状に整形することができるドライヤーの機能を備えたヘアーアイロンや、光を患部に照射する光治療器にも適用できる。上記以外に、光源２８はハロゲンランプ以外に、白熱ランプ、キセノンランプ、メタルハライドランプなどであってもよい。
【符号の説明】
【００７８】
１  ケース構造（本体ケース）
３  送風構造（送風ファン）
４  発光構造（光源ユニット）
５  吹出ケース
５ａ  接当部
５ｂ  係合脚
７  風導筒
７ａ  半割体
７ｂ  半割体
７ｃ  係合壁
８  外装筒
８ａ  ケース受座
９  導風路  
１０  吸込口
１１  吹出口
１９  ビス
２５  吹出グリル
２８  光源（ハロゲンランプ）
２９  リフレクタ
３０  フィルタ
３２  ハウジング
３４  支持台（ソケット）
３５  くびれ部
３７  前リフレクタ
３７ａ  分割体
３７ｂ  分割体
３８  後リフレクタ
４１  フィルタ受座
４２  第２通気口
４５  光源台
４６  導風壁
４７  締結具（ビス）
４８  第１通気口
４９  受風板
５１  凸状係合部（前係合部）
５２  接合溝
５３  接合壁
５４  凹状係合部（後係合部）
５５  ねじボス
５７  係合壁
５６  ビス
６０  押えリング
６４  ばね受枠
６５  衝撃吸収構造
６７  粘弾性体
６９  ばね体、衝撃吸収ばね
７１  ばね座
７２  ばね座
９１  電極ホルダー
９２  放電電極
９３  筒壁
９４  対向電極
９４ａ  尖端放電部
９８  温度センサー
【図１】
2020058475.tif 000003
【図２】
2020058475.tif 000004
【図３】
2020058475.tif 000005
【図４】
2020058475.tif 000006
【図５】
2020058475.tif 000007
【図６】
2020058475.tif 000008
【図７】
2020058475.tif 000009
【図８】
2020058475.tif 000010
【図９】
2020058475.tif 000011
【図１０】
2020058475.tif 000012
【図１１】
2020058475.tif 000013
【図１２】
2020058475.tif 000014
【図１３】
2020058475.tif 000015